(57)【要約】入浴装置（１００）は、エンジン構成部品を含む本体下部（１０２）と、中に人を収容するように適応された防水筐体を含む、上記の本体下部（１０２）に取り付けられる本体上部（１０８）と、を備え、上記の本体下部（１０２）における上記のエンジン構成部品は、外部からの水を受け、かつ、上記の本体上部（１０８）内に水をポンプでくみ上げることによって上記の本体上部（１０８）の筐体において水を操作するように構成される。【選択図】図２
2017536201.tif 000002
【特許請求の範囲】
【請求項１】
エンジン構成部品を含む本体下部（１０２）と、
中に人を収容するように適応された防水筐体を含む、前記本体下部（１０２）に取り付けられる本体上部（１０８）と、を備え、
前記本体下部（１０２）における前記エンジン構成部品は、外部からの水を受け、かつ、前記本体上部（１０８）内に前記水をポンプでくみ上げることによって前記本体上部（１０８）の筐体において前記水を操作するように構成される
ことを特徴とする入浴装置（１００）。
【請求項２】
前記エンジン構成部品は、少なくとも１つの電気ポンプ（４０２）を含む
請求項１に記載の入浴装置（１００）。
【請求項３】
前記本体上部（１０８）は、人が出入りする際に開かれる前面パネル（２１４）と共に４つの側部を有する防水筐体である
請求項１に記載の入浴装置（１００）。
【請求項４】
前記本体上部（１０８）は、人が座る、立つ、または、身体障碍者の車いすを収容することを可能にする空間を含む
請求項３に記載の入浴装置（１００）。
【請求項５】
前記前面パネル（２１４）は、粗面が配置された前記本体上部（１０８）に入るための跳ね橋（３０８）と共に構成される
請求項３に記載の入浴装置（１００）。
【請求項６】
前記前面パネル（２１４）は、押しボタンスイッチを押下することによって前記前面パネル（２１４）を自動的に閉鎖するスライディングドア（６０２）と共に構成される
請求項３に記載の入浴装置（１００）。
【請求項７】
前記スライディングドア（６０２）は側部からまたは底部から閉鎖するように構成される
請求項６に記載の入浴装置（１００）。
【請求項８】
回転式入浴装置と共に構成可能である
請求項１に記載の入浴装置（１００）。
【請求項９】
前記回転式入浴装置（７０２）は前記入浴装置の向きを第１の位置および第２の位置に変えるように構成される
請求項８に記載の入浴装置（１００）。
【請求項１０】
前記回転式入浴装置（７０２）における前記第１の位置によってユーザは前記入浴装置（１００）に入ることができる
請求項８に記載の入浴装置（１００）。
【請求項１１】
前記回転式入浴装置（７０２）における前記第２の位置によって、ユーザは、バスタブにおいてシャワーを浴びる、または前記バスタブに水を入れることができる
請求項８に記載の入浴装置（１００）。
【請求項１２】
前記入浴装置（１００）に入る間ユーザを支持できるようにするガイドレール一式をさらに含む
請求項１に記載の入浴装置（１００）。
【請求項１３】
前記前面パネルは、水の漏出を回避するように隙間を埋めるためにゴムシーラー（２１６）が配置されている
請求項３に記載の入浴装置（１００）。
【請求項１４】
前記本体上部（１０８）は、前記本体上部（１０８）の穴に前記本体下部（１０２）の金属製台（２０４）を進め入れることによって前記本体下部（１０２）上に固定される
請求項１に記載の入浴装置（１００）。
【請求項１５】
前記本体上部（１０８）は、前記車いす（６０２）を解放するまたは前記入浴装置に引き入れるための伸縮可能または格納可能なケーブル（６０４）を備える
請求項１に記載の入浴装置（１００）。
【請求項１６】
前記本体下部（１０２）における前記エンジン構成部品は、シャワー装置配置構成によって、または簡易なポンプによって、水を本体上部（１０８）内にくみ上げる
請求項１に記載の入浴装置（１００）。
【請求項１７】
水がリサイクルされる入浴装置（１００）であって、
エンジン構成部品、使用済みの水を保持する使用済み水用タンク（５０４）、および、浄水を保持する浄水用タンク（５０６）を備える本体下部と、
前記本体下部に取り付けられる本体上部（５０８）であって、中に人を収容し、前記浄水用タンク（５０６）から前記浄水を受け、および使用済みの水を前記使用済み用タンク（５０４）内に放出する防水筐体を含む、本体上部（５０８）と、を備え、
前記本体下部における前記エンジン構成部品は、前記使用済み水用タンク（５０４）から前記使用済みの水を受け、かつ、少なくとも１つの薄膜フィルタ（５１０）を介して浄水用タンク（５０６）内にポンプでくみ上げるように構成される少なくとも１つの電気ポンプ（５０２）を含む
ことを特徴とする入浴装置（１００）。
【請求項１８】
前記本体下部（１０２）における前記エンジン構成部品は、シャワー装置配置構成によって、または簡易なポンプによって、水を本体上部（１０８）内にくみ上げる
請求項１７に記載の入浴装置（１００）。
【請求項１９】
後で使用するために前記浄水を保持するための追加の水タンクをさらに含む
請求項１７に記載の入浴装置（１００）。
【請求項２０】
複数の仕切り（８０２、８０４、８０６、８０８）から作成される入浴装置（８００）であって、
前記仕切り（８０２、８０４、８０６、８０８）の端部における爪およびロックシステムを備え、
ユーザが進入するために前端が開放される矩形の前記仕切り（８０２、８０４、８０６、８０８）を配置し、
前記前端は前面パネル（８１０）によって閉鎖される
ことを特徴とする入浴装置（８００）。
【請求項２１】
前記前面パネルは、ひもまたはステンレスワイヤーを引っ張る機械装置によって閉鎖される
請求項２１に記載の入浴装置（８００）。
【請求項２２】
新鮮な水を受け、かつ使用済みの水を放出する入口および出口をさらに備える
請求項２１に記載の入浴装置（８００）。
【請求項２３】
前記前面パネル（８１０）は使用済みの水が外部に放出するのを回避するためにゴムライニングをさらに備える
請求項２１に記載の入浴装置（８００）。
【発明の詳細な説明】
【技術分野】
【０００１】
本発明は、身体的に自身での入浴が不可能な人、とりわけ、運動制限のある身体障碍者および高齢者用の入浴支持装置に関する。
【背景技術】
【０００２】
さまざまな入浴設備は、一般的に、身体障碍者および高齢者といった運動制限のある人々、とりわけ、入浴および／またはシャワー中に車いすのままの状態の人々がこうむっている困難に対処するために特別に開発されている。このような設備は、歩いて入れる大きさのバスタブ、車いすで入れるシャワー、および歩いて入れる大きさのシャワーを含み、これらは、一般的に、バスタブ内への車いすでの利用可能性を備えるために、バスタブの一側壁に戸口タイプの開口部が形成されている。
【０００３】
上述された入浴設備が、高齢者および身体障碍者がバスタブに入るためのより簡易な進入路を設けることができるという事実にもかかわらず、家庭用には広く採用されていない。これは主に、設置に比較的高額な費用が掛かることに起因し、また、多くは、バスタブのドア、リフト、および軌道を設置することができる前に実質的に広い空間を要することに起因する。さらに、これらは、身体障害のあるユーザを除いて家庭内の全ての人による使用に適していないため、大部分の個人宅の典型的な浴室として使用するのに適していない恐れがある。
【発明の概要】
【発明が解決しようとする課題】
【０００４】
従って、本発明の主要な目的は、一般的に空間が限られていることが障害になっている標準的な浴室に永久的に設置または位置付ける必要なく、ある場所から別の場所へ移転可能である折り畳み式の移動可能なバスタブを設けることによって、身体障害のあるユーザに対して、これらの既存の入浴設備に関連している制約を軽減することである。
【０００５】
本発明のさらに別の目的は、伸縮可能かつ格納可能なケーブルによって浴室に設けられた横行の支持棒に摺動可能に接続されるストラップを有し、転倒の危険性を最小限に抑えて、移動可能なバスタブに自分自身で入ったり出たりすることができるように、身体障害のあるユーザの身体を持ち上げかつ保持するように構成されるボディスーツを提供することである。
【０００６】
本発明のさらに別の目的は、移動可能なバスタブに接続する段のない歩行路を身体障害のあるユーザに提供するように構成されるプラットフォームを提供することである。
【０００７】
本発明の他の目的は、この開示全体を読むことで明らかとなる。
【課題を解決するための手段】
【０００８】
本発明の１つの態様では、高齢者および身体障碍者が浴室に安全に出入りできるように具体的に構成された入浴装置が提供される。本体下部を有する入浴装置は、エンジン構成部品を含み、本体下部に取り付けられる本体上部は、中に人を収容するように適応された防水筐体を含み、本体下部におけるエンジン構成部品は、外部からの水を受け、かつ、本体上部内に水をポンプでくみ上げることによって本体上部の筐体において水を操作するように構成される。
【０００９】
エンジン構成部品を有する入浴装置は、少なくとも１つの電気ポンプを含む。
【００１０】
本体上部を有する入浴装置は、人が出たり入ったりする際に開かれる前面パネルと共に４つの側部を有する防水筐体である。
【００１１】
本体上部は、人が座る、立つ、または、身体障碍者の車いすを収容することを可能にする空間を含む。
【００１２】
入浴装置の前面パネルは、粗面が配置された本体上部に入るための跳ね橋と共に構成される。
【００１３】
入浴装置の前面パネルは自在ドアと共に構成される。
【００１４】
入浴装置の前面パネルは、水の漏出を回避するように隙間を埋めるためのゴムシーラーが配置されている。
【００１５】
本体上部を有する入浴装置は、本体上部の穴に本体下部の金属製台を進め入れることによって本体下部上に固定される。
【００１６】
本体上部を有する入浴装置は、車いすを解放するまたは入浴装置に引き入れるための伸縮可能または格納可能なケーブルを含む。
【００１７】
本体下部にエンジン構成部品を有する入浴装置は、シャワー装置配置構成によって、または簡易なポンプによって、水を本体上部内にくみ上げる。
【００１８】
本発明の別の態様では、何ら水の不足なく浴室に継続的に出入りするように、使用済みの水をリサイクルするように具体的に構成される入浴装置が提供される。水がリサイクルされる入浴装置は、エンジン構成部品、使用済みの水を保持する使用済み水用タンク、および、浄水を保持する浄水用タンクを備える本体下部を含み、本体下部に取り付けられる本体上部は、中に人を収容し、浄水用タンクから浄水を受け、および使用済みの水を使用済み用タンク内に放出する防水筐体を含み、本体下部におけるエンジン構成部品は、使用済み水用タンクから使用済みの水を受け、かつ、少なくとも１つの薄膜フィルタを介して浄水用タンク内にポンプでくみ上げるように構成される少なくとも１つの電気ポンプを含む。
【００１９】
本体下部にエンジン構成部品を有する入浴装置は、シャワー装置配置構成によって、または簡易なポンプによって、水を本体上部内にくみ上げる。
【００２０】
入浴装置は、後で使用するために浄水を保持するための追加の水タンクをさらに含む。
【００２１】
本発明の別の態様では、複数の仕切りから作成される入浴装置は、上記の仕切りの端部に爪およびロックシステムを含み、ユーザが進入するために前端が開放される矩形の仕切りを配置し、上記の前端は前面パネルによって閉鎖される。
【００２２】
本発明の他の目的、特徴、および利点は、添付の図面を参照して読むと、以下の説明から明らかとなるであろう。図面では、同様の参照番号はいくつかの図全体にわたって対応する部分を示す。
【図面の簡単な説明】
【００２３】
【図１】本発明の好ましい実施形態による入浴装置を示す説明図
【図２】本発明の好ましい実施形態による入浴装置の分解組立図
【図３】（ａ）〜（ｄ）は、本発明の好ましい実施形態による入浴装置の前面パネルを示す説明図
【図４】本発明の好ましい実施形態による入浴装置のリサイクルシステムの全体像を示す説明図
【図５】本発明の好ましい実施形態による入浴装置のリサイクルシステムの内面図
【図６】本発明の別の実施形態によるスライディングドア式入浴装置を示す説明図
【図７】（ａ）〜（ｃ）は、本発明の別の実施形態による回転式入浴装置を示す説明図
【図８】（ａ）〜（ｂ）は、入浴装置を作成する爪およびロックによる方法を示す説明図
【図９】本発明の好ましい実施形態による、車いすを格納するまたは解放するために入浴装置から伸長する拡張式または格納式ケーブルを示す説明図
【発明を実施するための形態】
【００２４】
図１を参照すると、本発明の１つの好ましい実施形態に従って、高齢者および身体障碍者が、浴室に安全に出入りできるように具体的に構成された入浴装置（１００）が示されている。入浴装置（１００）は、本体下部（１０２）と、本体下部（１０２）上に固定されるまたは置かれる本体上部（１０８）と、本体上部を置く際に支援するように構成される、本体下部（１０２）から伸長する呼び径ボルト（１０４）と、を含む。本体上部（１０８）は、本体上部（１０８）を本体下部（１０２）に合わせることができるようにする呼び径ボルト（１０４）を通過させるための複数の穴を含む。呼び径ボルト（１０４）は、ユーザが入浴装置（１００）を保持しかつ移動させることができるようにする横棒（１０６）によって接合される。
【００２５】
図２を参照すると、本発明の好ましい実施形態による入浴装置の分解組立図が示されている。入浴装置は、本体下部（２０２）と、本体下部（２０２）上に置かれる本体上部（２０８）と、本体上部（２０８）を本体下部（２０２）上で整合させる呼び径ボルト（２０６）と、を含む。ユーザが、１つの場所から別の場所へ入浴装置（２００）を移動させることができるようにするために、入浴装置（２００）の底パネル上に装備した複数の車輪（２１２）も設けられる。
【００２６】
本発明の好ましい実施形態によると、本体上部（２０８）は、人が入ったり出たりするように構成される前面パネル（２１４）と共に４つの側部を有する防水筐体である。
【００２７】
本発明の好ましい実施形態によると、本体上部（２０８）は、入浴装置（２００）を利用中の人のための着座配置構成を含む。
【００２８】
本発明の好ましい実施形態によると、入浴装置は、前面パネル（２１４）の開放または閉鎖のために隙間を埋めるゴムシーラー（２１６）を有する。
【００２９】
図３ａ〜図３ｄは、本発明の好ましい実施形態による入浴装置の前面パネル設計を示す。図３ａは前面パネル（３０２、３０４）の先行技術設計を示す。
【００３０】
図３ｂには、入浴装置の改良された前面パネル（３０６）設計が示されている。前面パネル（３０６）の設計は、入浴装置に出入りする際に前面パネルを閉鎖および開放するために本体上部における自在ドアとして選択される。
【００３１】
図３ｃには、入浴装置の別の改良された前面パネル（３０８）設計が示されている。前面パネル（３０８）の設計は、入浴装置に出入りする際の前面パネルを閉鎖および開放するための本体上部における跳ね橋として選択される。跳ね橋式ドアは、歩行が困難である、または１インチの障害物に対しても自身の足を持ち上げることができないユーザにとって、ユーザを入浴装置内に導くためにいくつかのセーフティーガードレールがさらに設置された跳ね橋式ドアから上がっていくことができるため、有利である。
【００３２】
図３ｄには、前面パネルが閉鎖された入浴装置のさまざまな図を示す。
【００３３】
図４を参照すると、本発明の好ましい実施形態による入浴装置のリサイクルシステムの全体像が示されている。リサイクルシステム（４００）は本体下部に配置される。リサイクルシステム（４００）は、本体上部から使用済みの水（４０４）を受け、かつ、使用済みの水をリサイクルすることで浄水（４０６）を放出する。リサイクルシステム（４００）は、浄水を本体上部内にポンプでくみ上げることによって本体上部において水を操作する電気ポンプ（４０２）を有する。
【００３４】
図５は、本発明の好ましい実施形態による入浴装置のリサイクルシステムの内面図を示す。リサイクルシステム（５００）は、上部水タンク（５０８）から使用済みの水を収集する使用済み水用タンク（５０４）と、電気ポンプ（５０２）および薄膜フィルタ（５１０）を通過した浄水を収集する浄水用タンク（５０６）とを有する。図５に示されるように、該システムは、浄水用タンク（５０６）に接続されるシャワー装置などの追加の構成部品から成る。
【００３５】
図５に示されるような本発明の好ましい実施形態によると、別個の電気ポンプは入浴の際にシャワーヘッド内に水をポンプでくみ上げるためのものである。
【００３６】
図６は、本発明の別の実施形態によるスライディングドア式入浴装置を示す。入浴装置（６００）は、前面パネルの代用としてスライディングドア（６０２）を含む。入浴装置（６００）は、浴槽ドアを自動的に閉鎖する（図示されない）制御または押しボタンスイッチを含む。入浴用ドアの内側に座っているユーザは、入浴装置を容易に閉鎖する快適さを感じる。スライディングドア（６０２）は側部からまたは底部から閉鎖するように構成可能である。このスライディングドア式バスタブの底部に、デバイスをどこへでも押すことができるようにする車輪一式もある。さらにまた、このスライディングドア式バスタブの別の利点は、ユーザが、ユーザの頭部のみまたはユーザが可視である最上部までドアを摺動できることで、ユーザは、自身の身体を露出することなく居間または庭においても他を見渡せるようにバスタブを使用することが可能になる（１）ことである。（２）このバスタブは、１〜５人まで収容でき、それぞれの人がそれぞれ自身の小個室で座れることになるため同時に入浴できるが、ドアは同じものを使用することになる。（３）この浴槽の別の利点は、ユーザが（ドアが底部から上方に摺動するモデルについて）自身の浴槽のドアを途中までまたは最後まで摺動させることができることである。
【００３７】
図７ａ〜図７ｃは、本発明の別の実施形態による回転式入浴装置を示す。図７ａ〜図７ｂに示されるような入浴装置（７００）は、バスタブ（７０２）を回転させる制御または押しボタンスイッチ（図示せず）を含むことによって、バスタブ自体が回転可能であり、これによってユーザは自分の座席へと移動でき、バスタブの初めの半分が、支点から、バスタブ自体が１つの側部が開放された箱の中で横になる構造まで回転することになる。図７ｃに示されるように、入浴装置が安全な位置まで調節されると、ユーザは、シャワーを浴びる、またはバスタブに水をいっぱい入れて自身が浸かることができる。図７ｂを参照すると、入浴装置（７００）は、支持なしで歩行する困難に直面しているユーザにとって支持物としての機能を果たすガイドレール（７０４）一式を両側にさらに含む。
【００３８】
図８ａ〜図８ｂは、入浴装置を作成する爪およびロックによる方法を示す。該方法は、左側仕切り（８０２）、右側仕切り（８０４）、上側仕切り（８０６）、および後側仕切り（８０８）などの複数の側部を含む。これらの仕切りには、種々の形態およびサイズがあるが、矩形サイズが望ましい。仕切り（８０２、８０４、８０６、８０８）のそれぞれの端部は入浴装置の作成の際に隣接する仕切りを接合するように、爪によるロック配置構成で配置される。該配置になると、前面パネルは入浴装置内への進入口を形成する。前面パネルは、進入後に入浴装置を閉鎖するためにフラップシステムを備える。矩形構造上に完全な入浴装置が配置される。矩形構造および前面パネルによって入浴中に水を保持できる。水入口管および水出口管は、新鮮な水を受けて使用済みの水を放出するために入浴装置に接続される。水が漏出するのを防止するゴムライニングが、前部ドアの接合端部に配置される。
【００３９】
一実施形態によると、前面パネルは、ひもまたはステンレスワイヤーなどを引っ張る機械装置によって閉鎖可能である。該機械装置は、機械操作または手動のワイヤーロープ／ひも巻線機である、または、電気作動タイプとすることができる。機械装置を使用することによって、ユーザは前面パネルを閉鎖するまたは開放することができる。
【００４０】
図９は、本発明の好ましい実施形態による、車いす（９０４）を格納するまたは解放するために入浴装置から伸長する拡張式または格納式ケーブル（９０２）を示す。ユーザが座っている車いす（９０４）は、ケーブル引張システム（９０２）を通して、または、任意の他の機械システムを通して自動的に引っ張られることになり、それによって、ユーザは、車いす（９０４）を入浴装置に運び込むために自分自身の力を使用する必要はない。
【００４１】
本発明の好ましい実施形態によると、入浴装置は、入浴装置の両側に取り付けられる追加の水タンクを含む。そのため、ユーザは、水が全てそれ自体で何度も再循環することになるため、水シャワーを使用することによってユーザは際限なく入浴することができる。
【００４２】
本発明の好ましい実施形態によると、入浴装置は、車いすと共に入る必要があるそのユーザに車いすと共に進入することができるほどの十分な空間を与えることができるように、下方に折り重ねることができる椅子を含む。
【００４３】
さらにまた、本発明は、患者が浴室まで歩けるほどしっかりしていない場合より有用である可能性があり、入浴装置は、患者のベッドの脇まで動かされて患者は介護者によってその中へ入れてもらってから押すことができる。長く入浴する場合に必要な水もごくわずかであるため、入浴装置は、水に多くの費用をかける余裕がない人、または、水が不足している地域に住んでいる人にとって非常に有利である。
【００４４】
多くの子供達は入浴中に水で遊ぶのが好きであるが、親達は水を無駄にしすぎるのを嫌がり、子供の長い時間の入浴を許可しないため、本発明は、子供達にとっても有用である可能性がある。
【００４５】
本発明は、ジャングルに住む人達、または、水源が奉仕活動キャンプからかなり遠いジャングル内である作業を続ける必要がある人達にとっても有用である可能性がある。
【００４６】
当業者には容易に明らかとなるように、本発明は、その本質的な特性から逸脱することなく他の特有の形態で容易に製作可能である。従って、本発明の実施形態は、制限的なものではなく単なる例示として検討されるものとする。本発明の範囲は前述の説明ではなく特許請求の範囲によって指示されるため、その範囲内の全ての変更は特許請求の範囲に包含されることが意図される。
【図１】
2017536201.tif 000003
【図２】
2017536201.tif 000004
【図３】
2017536201.tif 000005
【図４】
2017536201.tif 000006
【図５】
2017536201.tif 000007
【図６】
2017536201.tif 000008
【図７】
2017536201.tif 000009
【図８】
2017536201.tif 000010
【図９】
2017536201.tif 000011
【国際調査報告】
2017536201.tif 000012
2017536201.tif 000013
2017536201.tif 000014
2017536201.tif 000015
2017536201.tif 000016
2017536201.tif 000017